(57)【要約】【課題】  安価かつ簡易的にイムノクロマトテストストリップを用いて全血中の血漿タンパクを測定する方法を提供すること【解決手段】本測定方法は、ヒトから採取された血液を１００〜１００００倍に希釈する工程；該希釈した血液をイムノクロマトテストストリップ１０に展開する工程；該希釈した血液が展開されたイムノクロマトテストストリップ１０の発色を分析する工程；を含み、全血を血漿または血清と血球成分に分離しないものである。イムノクロマトテストストリップ１０は、赤血球が毛細管現象により移動可能な展開膜１１と、サンプルパッド１２と、血漿タンパクと結合可能な標識抗体を具備するコンジュゲートパッド１３と、該標識抗体と結合した血漿タンパクと結合可能なキャプチャー抗体で形成したテストライン１４と、および該血漿タンパクが結合していない標識抗体と結合可能な物質で形成したコントロールライン１５と、を備える。【選択図】  図１
2018138931.tif 000002
【特許請求の範囲】
【請求項１】
イムノクロマト法で血漿タンパクを測定する方法であって、
ヒトから採取された血液を１００〜１００００倍に希釈する工程；
希釈した血液をイムノクロマトテストストリップに展開する工程；
希釈した血液が展開されたイムノクロマトテストストリップの発色を分析する工程；
を含み、
上記血液は、全血を血漿または血清と血球成分しないものであり、
上記イムノクロマトテストストリップが、赤血球が毛細管現象により移動可能な展開膜と、サンプルパッドと、血漿タンパクと結合可能な標識抗体を有するコンジュゲートパッドと、を具備しており、
上記展開膜に、上記標識抗体と結合した血漿タンパクと結合可能なキャプチャー抗体で形成されたテストラインと、血漿タンパクが結合していない上記標識抗体と結合可能な物質で形成されたコントロールラインと、が設けられており、
上記希釈した血液をイムノクロマトテストストリップに展開する工程は、
上記サンプルパッドに希釈した血液を塗布または滴下し、当該希釈した血液が、上記コンジュゲートパッドを通過して、上記展開膜において展開されることを特徴とする血漿タンパクの測定方法。
【請求項２】
上記血漿タンパクが、アルブミン、プレアルブミン、グロブリン、フィブリノーゲン、アンチトロンビン、トランスフェリン、セルロプラスミンまたはＣ反応性蛋白（ＣＲＰ）のうちの少なくともいずれか１つを含むものである請求項１に記載の血漿タンパクの測定方法。
【請求項３】
上記血漿タンパクが、プレアルブミンである請求項２に記載の血漿タンパクの測定方法。
【請求項４】
上記展開膜が、孔径５〜１００μｍを有するものである請求項１から３のいずれかに記載の血漿タンパクの測定方法。
【請求項５】
上記標識抗体が、金属コロイド修飾抗体である請求項１から４のいずれかに記載の血漿タンパクの測定方法。
【請求項６】
上記金属コロイド修飾抗体が、金コロイド修飾抗体である請求項５に記載の血漿タンパクの測定方法。
【請求項７】
イムノクロマトリーダを用いて上記イムノクロマトテストストリップの発色を分析する請求項１から６のいずれかに記載の血漿タンパクの測定方法。
【発明の詳細な説明】
【技術分野】
【０００１】
本発明は、イムノクロマト法で血漿タンパクを測定する方法に関する。
【背景技術】
【０００２】
イムノクロマト法は、医療現場においては、インフルエンザや妊娠の迅速検査に用いられている。
【０００３】
しかし、イムノクロマト法は全血中の血漿タンパクの測定には好適には用いられていない。これは全血に含まれる血漿タンパク濃度が高いため、赤血球の赤色が標識抗体の集積による発色を判別しにくくするためである。
【０００４】
全血中の血漿タンパクを測定する方法として、予め全血を遠心分離する方法や、血漿／血清分離パッドが設けられたイムノクロマトストリップを用いる方法が公知である（特許文献１，２参照）。
【先行技術文献】
【特許文献】
【０００５】
【特許文献１】特開２００２−２１４２３６号公報
【特許文献２】特開２００２−３５０４２８号公報
【発明の概要】
【発明が解決しようとする課題】
【０００６】
しかしながら、前述された従来の方法は、遠心分離機が必要であったり、血漿／血清分離パッドを設ける必要があったりするため、より安価かつ簡易に全血中の血漿蛋白を測定する方法が望まれる。
【０００７】
本発明は、安価かつ簡易的にイムノクロマトテストストリップを用いて全血中の血漿タンパクを測定する方法を提供することを目的とする。
【課題を解決するための手段】
【０００８】
本発明者らは、全血を希釈することと、特定の展開膜を用いることで、イムノクロマト法で血漿タンパクも測定できることを見いだし、本発明を完成させた。
【０００９】
本発明は、イムノクロマト法で血漿タンパクを測定する方法であって、
ヒトから採取された血液を１００〜１００００倍に希釈する工程；
希釈した血液をイムノクロマトテストストリップに展開する工程；
希釈した血液が展開されたイムノクロマトテストストリップの発色を分析する工程；
を含み、上記血液は、全血を血漿または血清と血球成分しないものである。
上記イムノクロマトテストストリップが、赤血球が毛細管現象により移動可能な展開膜と、サンプルパッドと、血漿タンパクと結合可能な標識抗体を有するコンジュゲートパッドと、を具備する。上記展開膜に、上記標識抗体と結合した血漿タンパクと結合可能なキャプチャー抗体で形成されたテストラインと、血漿タンパクが結合していない上記標識抗体と結合可能な物質で形成されたコントロールラインと、が設けられている。上記希釈した血液をイムノクロマトテストストリップに展開する工程において、上記サンプルパッドに希釈した血液を塗布または滴下し、当該希釈した血液が、上記コンジュゲートパッドを通過して、上記展開膜において展開される。
【００１０】
上記血漿タンパクは、アルブミン、プレアルブミン、グロブリン、フィブリノーゲン、アンチトロンビン、トランスフェリン、セルロプラスミンまたはＣ反応性蛋白（ＣＲＰ）のうち、少なくともいずれか１つを含むことが好適であり、最も好適な上記血漿タンパクは、プレアルブミンである。
【００１１】
上記展開膜は、孔径５〜１００μｍを有する展開膜であってもよい。
【００１２】
上記標識抗体は、金属コロイド修飾抗体が好適であり、特に金コロイド修飾抗体が好適である。
【００１３】
前記希釈した血液が展開されたイムノクロマトテストストリップの発色を分析する工程において、イムノクロマトリーダーが用いられることが好適である。
【発明の効果】
【００１４】
本発明によれば、安価かつ簡易的にイムノクロマトテストストリップを用いて全血中の血漿タンパクを測定することができる。
【図面の簡単な説明】
【００１５】
【図１】図１は、実施形態に係るイムノクロマトテストストリップ１０の長手方向に対して平行な断面を示す断面図である。
【図２】図２は、同一サンプルにて実施例１における測定方法の結果と免疫比濁法により測定した結果との相関を示すグラフである。
【発明を実施するための形態】
【００１６】
以下、図面が参照されつつ本発明の実施形態が説明される。なお、本実施形態は、本発明の一例にすぎず、本発明の要旨が変更されない範囲において、本実施形態が適宜変更されてもよいことは言うまでもない。
【００１７】
本実施形態は、イムノクロマト法により血漿タンパクを測定する方法である。イムノクロマト法とは、免疫測定法の１つである。その原理は、毛細管現象によって展開膜中を流れる検体中の目的物質が、展開膜におけるテストラインに固定されたキャプチャー抗体によって捕捉されることによってテストラインが発色するものである。テストラインの発色が、定性的、好適には定量的に測定されることにより、検体中の目的物質の測定が行われる。
【００１８】
［イムノクロマトテストストリップ１０］
図１に示されるように、イムノクロマトテストストリップ１０は、展開膜１１と、サンプルパッド１２と、目的物質（本実施形態では、血漿タンパク）と結合可能な標識抗体が設けられたコンジュゲートパッド１３と、を有する。また、イムノクロマトテストストリップ１０は、余剰の液体を吸収する吸収パッド１６と、展開膜１１に直接皮膚が触れることを防止するベース素材１７と、を有する。なお、吸収パッド１６やベース素材１７は、必要に応じて適宜設けられる部材であり、必ずしもイムノクロマトテストストリップ１０に設けられていなくてもよい。また、イムノクロマトテストストリップ１０には、血漿／血清分離パッドは設けられていない。
【００１９】
展開膜１１は、図１における左右方向に細長な短冊形状の膜であり、その一方端（図１における左側）に、サンプルパッド１２及びコンジュゲートパッド１３が、サンプルパッド１２を上側として、展開膜１１に順次積層されている。展開膜１１の他方端（図１における右側）には、吸収パッド１６が積層されている。
【００２０】
展開膜１１は、赤血球が毛細管現象で移動可能なものである。赤血球が毛細管現象で移動可能な展開膜１１とは、一般的には孔径５〜１００μｍを有する展開膜１１が該当する。換言すれば、展開膜１１は、赤血球により目詰まりしないものである。このような展開膜１１の材料としては、綿、麻、絹、セルロース、ロックウール、獣毛、ニトロセルロース、セルロースアセテート、ガラス繊維、カーボン繊維、ボロン繊維、ポリアミド、アラミド、ポリビニルアルコール、ポリビニルアセテート、レーヨン、ポリエステル、ポリアクリル酸、ポリアクリル酸エステル、ポリプロピレン、ポリエチレン、ポリ塩化ビニルおよびポリ塩化ビニリデンなどが挙げられる。このような展開膜１１は、メルク株式会社および日本ポール株式会社などが販売している。なお、市販されている展開膜１１の中には孔径が公表されていないものもあるが、赤血球が毛細管現象で移動可能か否かの判別は、実際に血液を展開膜１１に展開した場合に、赤血球の赤色の色の浸透具合を観察することにより容易に判別することができる。
【００２１】
展開膜１１における長手方向（図１における左右方向）の中央より吸収パッド１６側には、テストライン１４及びコントロールライン１５が長手方向に隔てられて設けられている。コントロールライン１５は、テストライン１４より吸収パッド１６側に配置されている。テストライン１４は、目的物質と結合可能なキャプチャー抗体が展開膜１１の幅方向（図１における紙面と垂直な方向）に渡って固定されることにより形成されたものである。コントロールライン１５は、目的物質が結合していない標識抗体と結合可能な物質が展開膜１１の幅方向（図１における紙面と垂直な方向）に渡って固定されることにより形成されたものである。テストライン１４及びコントロールライン１５は、コンジュゲートパッド１３に設けられた標識抗体が結合していない状態においては、着色が無く目視は困難である。
【００２２】
コンジュゲートパッド１３に設けられた標識抗体は、抗体と標識物が結合されたものである。標識抗体における抗体は、血漿タンパクと結合可能なものであれば特に限定されるものではない。例えば、血漿タンパクがプレアルブミンである場合は、ヤギ由来抗プレアルブミン抗体およびウサギ由来抗プレアルブミン抗体などが挙げられる。
【００２３】
標識抗体における標識物も、一般的にイムノクロマトに用いられるものが選択され、限定されるものではない。例えば、標識物としては、金コロイド、白金コロイドおよびパラジウムコロイドなどの金属コロイドが挙げられ、測定感度が高い観点から金コロイドが好適に用いられる。
【００２４】
コントロールライン１５として固定される、血漿タンパクと結合していない標識抗体と結合可能な物質としては、標識抗体における抗体と結合可能な血漿タンパクとは別の抗原または二次抗体が挙げられる。例えば、血漿タンパクとしてプレアルブミンを、標識抗体として金コロイド標識ヤギ由来抗プレアルブミン抗体を用いた場合、血漿タンパクと結合していない標識抗体と結合可能な物質としては、ウサギ由来抗ヤギＩｇＧ抗体を好適に用いることができる。
【００２５】
［測定方法］
イムノクロマトテストストリップ１０により目的物質を測定する方法は、次の工程に大別される。
（１）ヒトから採取された血液を１００〜１００００倍に希釈する工程。
（２）希釈された血液をイムノクロマトテストストリップ１０に展開する工程。
（３）希釈された血液が展開されたイムノクロマトテストストリップ１０の発色を分析する工程。
【００２６】
イムノクロマトテストストリップ１０により測定される目的物質は、血漿蛋白である。血漿タンパクとは、血漿の約７％を占めるタンパクをいい、例えば、アルブミン、プレアルブミン、グロブリン、フィブリノーゲン、アンチトロンビン、トランスフェリン、セルロプラスミンおよびＣ反応性蛋白（ＣＲＰ）などが挙げられる。なお、本発明においては、血漿タンパクの中でも、ヒトの栄養状態の指標として注目されているプレアルブミンが好適に選択されるが、本発明はプレアルブミンを測定する方法に限定されるものではない。
【００２７】
検体は、ヒトから採取された血液である。採取された血液は、イムノクロマトテストストリップ１０のサンプルパッド１２に滴下される前に、希釈液にて１００〜１００００倍に希釈される。
【００２８】
血液をヒトから採取する方法は特に限定されるものではなく、医師または看護師による採血、自己による採血のいずれであってもよい。医師または看護師による採血は、採血管またはシリンジを用いた採血などが挙げられ、自己による採血は、例えば、自己血糖測定（ＳＭＢＧ）分野で用いられている穿刺器具を用いた採血などが挙げられる。
【００２９】
採取された血液を１００〜１００００倍に希釈する方法もまた特に限定されるものではないが、一般的には、生理食塩水、リン酸緩衝生理食塩水（ＰＢＳ）およびトリス緩衝生理食塩水（ＴＢＳ）などの、通常イムノクロマトテストストリップに展開される液体が希釈液として用いられる。希釈倍率が１００より低いと、赤血球の色により後述する発色を判別することが困難になり、１００００より高いと、今度は後述する発色自体が判別しにくくなる。
【００３０】
希釈された血液は、イムノクロマトテストストリップ１０のサンプルパッド１２に滴下されることによって、展開膜１１に展開される。
【００３１】
希釈した血液のイムノクロマトテストストリップ１０への展開は、イムノクロマトテストストリップ１０のサンプルパッド１２に希釈した血液（以下、「希釈血液」と略すこともある）を塗布または滴下することにより実施される。サンプルパッド１２に塗布または滴下した希釈血液は、コンジュゲートパッド１３を通過して、展開膜１１において長手方向（図１における左右方向）へ展開される。希釈した血液がコンジュゲートパッド１３を通過する際、希釈血液中に存在する血漿タンパクは、コンジュゲートパッド１３に設けられた標識抗体と結合する。
【００３２】
展開膜１１に展開された希釈血液（血漿タンパクと結合した標識抗体を含む）は、毛細管現象により展開膜１１中を移動する。展開膜１１においては、赤血球が毛細管現象で移動可能である。このような展開膜１１が用いられることにより、希釈血液は、展開膜１１におけるテストライン１４に到達することができ、希釈血液中に存在する血漿タンパクと結合した標識抗体は、テストライン１４におけるキャプチャー抗体と結合することができる。これによりテストライン１４が発色する。
【００３３】
希釈血液が展開膜１１におけるコントロールライン１５に到達すると、希釈血液中に存在する血漿タンパクと結合していない標識抗体は、コントロールライン１５における血漿タンパクと結合していない標識抗体と結合可能な物質と結合することができる。これによりコントロールライン１５が発色する。
【００３４】
なお、標識抗体がポリクローナル抗体である場合、または血漿タンパクのエピトープが複数ある多価抗原である場合には、血漿タンパクのエピトープの大半に標識抗体が結合することによって、テストライン１４において、キャプチャー抗体が血漿タンパクを捕捉し難くなることがあり得る。この場合、希釈血液は、サンプルパッドではなく、イムノクロマトテストストリップ１０の展開膜における、コンジュゲートパッド１３とテストライン１４との間の位置へ直接塗布または滴下する方法が採用される。展開膜１１に直接塗布または滴下された希釈血液は、展開膜１１において長手方向（図１における左右方向）へ展開される。
【００３５】
展開膜１１に展開された希釈血液は、毛細管現象によって展開膜１１を移動する。希釈血液中に存在する血漿タンパクは、テストライン１４においてキャプチャー抗体と結合する。
【００３６】
血漿タンパクがキャプチャー抗体と結合するのみでは、テストライン１４は発色しないので、コンジュゲートパッド１３に含まれる標識抗体がテストライン１４及びコントロールライン１５へ到達させる操作が必要となる。このため、希釈血液が展開膜１１に展開された後、サンプルパッド１２に展開液が滴下される。展開液は特に限定されるものではなく、リン酸緩衝液やホウ酸緩衝液、トリス緩衝液などの緩衝液が用いられる。サンプルパッド１２に滴下された展開液は、コンジュゲートパッド１３を通過して、展開膜１１において長手方向（図１における左右方向）へ展開される。展開液がコンジュゲートパッド１３を通過する際、コンジュゲートパッド１３に設けられた標識抗体が展開液中に溶出して、展開膜１１において長手方向（図１における左右方向）へ展開される。
【００３７】
標識抗体を含む展開液は、展開膜１１に展開された後、毛細管現象により展開膜１１中を希釈血液と混ざりつつ移動する。そして、テストライン１４へ到達すると、標識抗体は、キャプチャー抗体と結合した血漿タンパクと結合する。これにより、テストライン１４が発色する。
【００３８】
希釈血液と混ざった展開液が更に展開膜１１におけるコントロールライン１５へ到達すると、希釈血液と混ざった添加液中における血漿タンパクと結合していない標識抗体が、コントロール１５における、血漿タンパクと結合していない標識抗体と結合可能な物質と結合する。これにより、コントロールライン１５が発色する。
【００３９】
希釈した血液が展開されたイムノクロマトテストストリップ１０のコントロールライン１５の発色は、目視またはイムノクロマトリーダーにより分析される。イムノクロマトリーダーにより分析する場合は、イムノクロマトテストストリップ１０の発色の発色強度により、定量的に分析することもできる。イムノクロマトリーダーは、市販されているものを用いることができ、例えば、浜松ホトニクス株式会社、大塚電子株式会社、オリエンタルインスツルメンツ株式会社およびニップンエンジニアリング株式会社などが販売している。
【００４０】
前述された測定方法について補足すると、全血を血漿または血清と血球成分に分離しないこと、つまり、遠心分離操作を実施するものではなく、イムノクロマトテストストリップ１０に血漿／血清分離パッドを設けないことも特徴である。これにより安価な血漿蛋白の方法を提供することができる。
【実施例】
【００４１】
以下、実施例により本発明をより具体的に説明するが、本発明はこれらの実施例により限定されるものではない。
【００４２】
（標準物質）
精度管理用血清を生理食塩水で希釈し、プレアルブミン濃度０、１０．１、１５．６、２０．０および３１．４ｍｇ／ｄＬの溶液を調製した。値付けは免疫比濁法で行った。
【００４３】
（イムノクロマトテストストリップ１０）
図１に示すイムノクロマトテストストリップ１０を製造した。具体的に、展開膜１１は、メルク社製のハイフローＨＦ９０を、サンプルパッド１２はメルク社製のＣＦＳＰ１７３０００を、コンジュゲートパッド１３はメルク社製のＧＦＣＰ１０３０００をそれぞれ用いた。展開膜１１、サンプルパッド１２およびコンジュゲートパッド１３は、血液の赤色が満遍なく浸透することを予め確認した。コンジュゲートパッド１３には、金コロイドで標識したヤギ由来抗プレアルブミンポリクローナル抗体（標識抗体）を含浸した。テストライン１４は、ヤギ由来抗プレアルブミンポリクローナル抗体（キャプチャー抗体）のリン酸緩衝液（１．０ ｍｇ／ｍＬ）を塗布し、自然乾燥することにより形成した。コントロールライン１５は、ウサギ由来抗ヤギＩｇＧ抗体（血漿タンパクが結合していない標識抗体と結合可能な物質、Ｒｏｃｋｌａｎｄ Ｉｍｍｕｎｏｃｈｅｍｉｃａｌｓ社製）のリン酸緩衝液（０．２ ｍｇ／ｍＬ）を塗布し、自然乾燥することにより形成した。
【００４４】
（検量線）
標準物質を、生理食塩水により１，２００倍に希釈し、イムノクロマトテストストリップ１０の展開膜１１におけるコンジュゲートパッド１３とテストライン１４との間の位置に１０μＬを直接展開し、次いで、サンプルパット１２に展開液としてのトリス緩衝液１ｍＬを展開した。得られたテストライン１４の発色強度をテストストリップリーダーで測定することにより、検量線を作成した。
【００４５】
（血液サンプル）
免疫比濁法により、プレアルブミンの濃度が予め判明している血液サンプルを２５検体準備した。
【００４６】
（実施例１）
血液サンプル２５検体を、それぞれ生理食塩水により８００倍に希釈した液を調製した。次いで、イムノクロマトテストストリップ１０の展開膜１１におけるコンジュゲートパッド１３とテストライン１４との間の位置に１０μＬを直接展開し、次いで、サンプルパット１２に展開液としてのトリス緩衝液１ｍＬを展開した。得られたテストライン１４の発色強度をテストストリップリーダーで測定した。得られた発色強度と検量線とを比較することにより、それぞれの血液サンプルの濃度を求めた。求められた濃度と、免疫比濁法により測定された血液サンプルの濃度との相関性を評価した結果を図２に示す。その結果、Ｒの値（相関係数）は０．９６であり、本発明の方法により定量的にプレアルブミンの濃度が測定できることが明らかとなった。
【００４７】
（比較例１）
生理食塩水による血液サンプルの希釈倍率が８０倍であること以外は、実施例１と同様に実施したが、テストライン１４の発色が血液の赤色により見えにくく、定性的に判定することは困難であった。
【産業上の利用可能性】
【００４８】
本発明は、安価かつ簡易的にイムノクロマトテストストリップを用いて全血中の血漿タンパクを測定する方法を提供することができ、血漿タンパクとしてプレアルブミンを選択した場合、ヒトの栄養状態を迅速に診断することができるようになる。
【符号の説明】
【００４９】
１０・・・イムノクロマトテストストリップ
１１・・・展開膜
１２・・・サンプルパッド
１３・・・コンジュゲートパッド
１４・・・テストライン
１５・・・コントロールライン
１６・・・吸収パッド
１７・・・ベース素材
【図１】
2018138931.tif 000003
【図２】
2018138931.tif 000004